(57)【特許請求の範囲】
【請求項１】
互いに交差する複数の走査線と複数のデータ線と、当該走査線およびデータ線の交差に対応して配置され液晶を備えた画素とが設けられ、入力画像データに応じて画像が表示される画像表示領域の輝度ムラを補正する画像処理回路であって、
前記入力画像データが取り得るレベルのうち、複数の特定レベルに対応する基準補正データを、前記画像表示領域内において予め定められた複数の基準座標毎に記憶するメモリと、
前記基準補正データに対しレベルに応じて補間処理を施して、前記入力画像データの取り得るレベルの各々に対応した第１補正データを、前記基準座標毎に生成する補間処理部と、
該第１補正データを基準座標とレベルとに対応づけて記憶する補正テーブルと、
前記補正テーブルに記憶された第１補正データの中から、前記入力画像データでの画像表示領域内における座標の近傍に位置する複数の基準座標に対応し、かつ、該入力画像データのレベルに対応するものを選択する選択回路と、
前記選択回路により選択された第１補正データに対し座標に応じて補間処理を施して、前記入力画像データに対応する第２補正データを生成する演算部と、
当該第２補正データを前記入力画像データに加算する加算部と
を具備し、
前記複数の特定レベルに対応する基準補正データは、前記液晶に印加される電圧実効値に対する前記画素の透過率または反射率を示す表示特性曲線が急峻に変化する第１および第２変化点の各々に対応する第１および第２レベルと、第１および第２レベルの間における１以上のレベルとに対応する補正データであることを特徴とする画像処理回路。
【請求項２】
前記補間処理部は、
前記第１レベルから前記第２レベルまでのレベルの各々に対応する第１補正データについては、前記基準補正データに補間処理を施して生成し、
前記第１レベル未満のレベルの各々に対応する第１補正データについては、前記第１レベルに対応する基準補正データを用い、
前記第２レベルを越えるレベルの各々に対応する第１補正データについては、前記第２レベルに対応する基準補正データを用い、
前記補正テーブルは、
前記第１レベルから前記第２レベルまでの各レベルについて補正データを記憶し、
前記選択回路は、
前記補正テーブルに記憶された補正データのうち、
前記入力画像データのレベルが前記第１レベル未満である場合には、前記第１レベルに対応する補正データを選択し、
前記入力画像データのレベルが前記第１レベルから前記第２レベルまでの範囲にある場合には、当該レベルに対応する補正データを選択し、
前記入力画像データのレベルが前記第２レベルを越える場合には、前記第２レベルに対応する補正データを選択する
ことを特徴とする請求項１に記載の画像処理回路。
【請求項３】
前記入力画像データのレベルが前記第１レベル未満である場合、または、前記第２レベルを越える場合に、
当該画像入力レベルと前記第１または第２レベルとの差に応じた係数を出力する係数出力部と、
前記係数出力部による係数と、前記選択回路により選択された第１または第２レベルに対応する補正データの各々とを乗算する乗算器と
を備え、
前記演算部は、
前記乗算器による乗算結果を、前記選択回路により選択された第１補正データとして用いる
ことを特徴とする請求項２に記載の画像処理回路。
【請求項４】
前記係数出力部は、
前記入力画像データが前記第１レベル未満である領域、または、前記第２レベルを越える領域において、少なくとも２以上のレベルに対応する係数を記憶するルックアップテーブルと、
前記ルックアップテーブルに記憶された係数を補間して、当該入力画像データに対応する係数を求める係数補間部と
を備えることを特徴とする請求項３に記載の画像処理回路。
【請求項５】
入力画像データに応じて画像が表示される画像表示領域の輝度ムラを補正する画像処理回路であって、
前記入力画像データが取り得るレベルのうち、複数の特定レベルに対応する基準補正データを、前記画像表示領域内において予め定められた複数の基準座標毎に記憶するメモリと、
前記基準補正データに対しレベルに応じて補間処理を施して、前記入力画像データの取り得るレベルの各々に対応した第１補正データを、前記基準座標毎に生成する補間処理部と、
該第１補正データを基準座標とレベルとに対応づけて記憶する補正テーブルと、
前記補正テーブルに記憶された第１補正データの中から、前記入力画像データでの画像表示領域内における座標の近傍に位置する複数の基準座標に対応し、かつ、該入力画像データのレベルに対応するものを選択する選択回路と、
前記選択回路により選択された第１補正データに対し座標に応じて補間処理を施して、前記入力画像データに対応する第２補正データを生成する演算部と、
当該第２補正データを前記入力画像データに加算する加算部と
を具備し、
前記入力画像データは、ＲＧＢの各色に対応するデータから構成され、
前記基準補正データは、ＲＧＢの各色に対応するデータから構成され、
前記補間処理部は、ＲＧＢの各色に対応して第１補正データを生成し、
前記補正テーブル、前記演算部および前記加算部は、ＲＧＢの色毎に設けられ、
前記Ｇの基準補正データにおけるデータ量は、前記Ｒまたは前記Ｂの基準補正データにおけるデータ量より多い
ことを特徴とする
ことを特徴とする画像処理回路。
【請求項６】
前記Ｒまたは前記Ｂの基準補正データは、前記Ｇの基準補正データに対応する基準座標の複数を一定の規則で抽出した座標に対応するものである
ことを特徴とする請求項５に記載の画像処理回路。
【請求項７】
請求項１乃至６のうちいずれかに記載の画像処理回路と、
前記画像処理回路によって補正された画像データに基づいて前記画像表示領域に画像を表示する駆動回路と
を備えることを特徴とする電気光学装置。
【請求項８】
請求項７に記載の電気光学装置を備える
ことを特徴とする電子機器。
【発明の詳細な説明】
【０００１】
【発明の属する技術分野】
本発明は、輝度ムラや色ムラ等を抑えた電気光学装置、画像処理回路、画像データ補正方法、および、電子機器に関する。
【０００２】
【従来の技術】
従来の電気光学装置、例えば、アクティブマトリクス型の液晶表示装置は、主に、液晶パネル、画像信号処理回路およびタイミング発生回路から構成されている。このうち、液晶パネルは、一対の基板間に液晶が挟持された構成となっており、詳細には、一対の基板のうち、一方の基板に、複数の走査線と複数のデータ線とが互いに絶縁を保って交差するように設けられるとともに、これらの交差部分の各々に対応してスイッチング素子の一例たる薄膜トランジスタ（Thin Film Transistor：以下「ＴＦＴ」と称する）と画素電極との対が設けられ、また、他方の基板には画素電極に対向する透明な対向電極（共通電極）が設けられて、一定電位に維持されている。
【０００３】
ここで、両基板の各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。この構成において、画素電極と対向電極との間を通過する光は、両電極間に印加された電圧実効値がゼロであれば、液晶分子の捻れに沿って約９０度旋光する一方、電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させた場合（ノーマリーホワイトモードの場合）、両電極に印加される電圧実効値がゼロであれば、透過率が最大（白表示）になる一方、両電極に印加される電圧実効値が大きくなるにつれて光が遮断して、ついには透過率が最小（黒表示）になる。
【０００４】
一方、タイミング発生回路は、各部で使用されるタイミング信号を出力するものであり、また、画像信号処理回路は、画素電極と対向電極との間に印加される電圧実効値に対する透過率（または反射率）の特性に合致するように、液晶表示装置に入力される画像データを、その階調値に対応する電圧情報に変換する、というガンマ補正処理を実行するものである。このようなガンマ補正処理は、一般には、入力画像データと補正後の画像データとの関係を記憶したテーブルを用いて行われることが多い。
【０００５】
ところで、実際の液晶パネルでは、液晶層の厚さが不均一であったり、ＴＦＴの動作特性が面内においてバラついたりするなどの理由により、輝度ムラが発生する。ここで、輝度ムラを低減するための技術としては、表示領域を適当なブロックに分割し、ブロック単位でテーブルを切り替える技術が挙げられる（例えば、特開平３−１８８２２号公報参照）。
さらに、このような技術において、すべてのブロックについてテーブルを用意するのではなく、所定のブロックについてのみテーブルを用意する一方、テーブルが用意されていないブロックについては、近傍ブロックのテーブルに基づいて補間処理を行うことにより、当該ブロックのテーブルを生成して、テーブルのメモリ容量を削減する、という技術もある（例えば、特開平５−６４１１０号公報参照）。
【０００６】
【発明が解決しようとする課題】
しかしながら、ブロック毎にテーブルを用意する技術では、ブロック単位で輝度レベルが補正されるので、同一ブロック内では補正量が一定になってしまう。このため、高精度の補正を行うことができないので、輝度ムラを完全に解消できない、といった問題があった。
一方、ブロック数を増やし、用意するテーブルの数を増やせば、輝度ムラをより低減することが可能であるが、この場合にはテーブルに必要なメモリ容量が増大してしまう、といった問題があった。
【０００７】
本発明は、上述した問題に鑑みてなされたものであり、その目的は少ないメモリ容量で輝度ムラを大幅に低減することが可能な電気光学装置、画像処理回路、画像データ補正方法および電子機器を提供することにある。
【００１１】
【課題を解決するための手段】
上記目的を達成するために、本件発明に係る画像処理回路にあっては、互いに交差する複数の走査線と複数のデータ線と、当該走査線およびデータ線の交差に対応して配置され液晶を備えた画素とが設けられ、入力画像データに応じて画像が表示される画像表示領域の輝度ムラを補正する画像処理回路であって、前記入力画像データが取り得るレベルのうち、複数の特定レベルに対応する基準補正データを、前記画像表示領域内において予め定められた複数の基準座標毎に記憶するメモリと、前記基準補正データに対しレベルに応じて補間処理を施して、前記入力画像データの取り得るレベルの各々に対応した第１補正データを、前記基準座標毎に生成する補間処理部と、該第１補正データを基準座標とレベルとに対応づけて記憶する補正テーブルと、前記補正テーブルに記憶された第１補正データの中から、前記入力画像データでの画像表示領域内における座標の近傍に位置する複数の基準座標に対応し、かつ、該入力画像データのレベルに対応するものを選択する選択回路と、前記選択回路により選択された第１補正データに対し座標に応じて補間処理を施して、前記入力画像データに対応する第２補正データを生成する演算部と、当該第２補正データを前記入力画像データに加算する加算部とを具備し、前記複数の特定レベルに対応する基準補正データは、前記液晶に印加される電圧実効値に対する前記画素の透過率または反射率を示す表示特性曲線が急峻に変化する第１および第２変化点の各々に対応する第１および第２レベルと、第１および第２レベルの間における１以上のレベルとに対応する補正データであることを特徴とする。この構成によれば、上記第１および第２発明と同様に、輝度ムラの補正が、該入力画像データの各レベルに対応し、かつ、該入力画像データの座標に対応して実行されるので、精度良く輝度ムラが低減されることになる。
【００１２】
さて、この本発明において、前記画像表示領域には、Ｘ方向に延在する複数の走査線と、Ｙ方向に延在する複数のデータ線と、これらのデータ線および走査線の交差に対応する画素とが設けられ、前記選択回路は、前記画像表示領域のＸ方向走査の時間基準となる第１クロック信号を計数して、前記画像表示領域において前記入力画像データに対応する画素のＸ座標を指示するＸ座標データを生成するＸカウンタと、前記画像表示領域のＹ方向走査の時間基準となる第２クロック信号を計数して、前記画像表示領域において前記入力画像データに対応する画素のＹ座標を指示するＹ座標データを生成するＹカウンタと、前記Ｘ座標データと前記Ｙ座標データとから、前記入力画像データの座標近傍に位置する複数の基準座標を特定するとともに、該特定された複数の基準座標と前記入力画像データのレベルとにより、前記補正テーブルから対応する複数の補正データを読み出すためのアドレスを発生するアドレス発生部とを備え、前記演算部は、前記Ｘ座標データと前記Ｙ座標データとによって特定される入力画像データの座標から、前記アドレス発生部により読み出された複数の補正データに対応する基準座標の各々までの距離に応じて補間処理を行う構成が好ましい。この構成によれば、あるタイミングの入力画像データが、画像表示領域においていかなる座標に対応するかについてが、Ｘ、Ｙ座標データにより特定されることになる。そして、当該座標の近傍に位置する基準座標に対応する補正データを、座標に応じて補間処理することにより、当該座標に対応する第２補正データが生成されるので、入力画像データに対する輝度ムラの補正を、対応する座標毎に正確に行うことができる。
【００１３】
このような構成においては、さらに、前記入力画像データは、ＲＧＢの各色に対応するデータから構成され、前記基準補正データは、ＲＧＢの各色に対応するデータから構成され、前記メモリ、前記補間処理部、前記Ｘカウンタおよび前記Ｙカウンタは、ＲＧＢの各色で兼用され、前記補正テーブル、前記演算部、前記アドレス発生部および前記加算部は、ＲＧＢの色毎に対応して設けられる構成が望ましい。この構成では、前記メモリ、前記補間処理部、前記Ｘカウンタおよび前記Ｙカウンタは、ＲＧＢの各色で兼用されるので、構成の簡易化を図ることが可能となる。
【００１５】
さらに、前記補間処理部は、前記第１レベルから前記第２レベルまでのレベルの各々に対応する第１補正データについては、前記基準補正データに補間処理を施して生成し、前記第１レベル未満のレベルの各々に対応する第１補正データについては、前記第１レベルに対応する基準補正データを用い、前記第２レベルを越えるレベルの各々に対応する第１補正データについては、前記第２レベルに対応する基準補正データを用い、前記補正テーブルは、前記第１レベルから前記第２レベルまでの各レベルについて補正データを記憶し、前記選択回路は、前記補正テーブルに記憶された補正データのうち、前記入力画像データのレベルが前記第１レベル未満である場合には、前記第１レベルに対応する補正データを選択し、前記入力画像データのレベルが前記第１レベルから前記第２レベルまでの範囲にある場合には、当該レベルに対応する補正データを選択し、前記入力画像データのレベルが前記第２レベルを越える場合には、前記第２レベルに対応する補正データを選択する構成が好ましい。液晶の表示特性では、大きな変化点が２つあり、これらの変化点の間では印加電圧に対して透過率が大きく変化するが、それ以外の範囲では、印加電圧に対する透過率の変化は小さい。このため、入力画像データのレベルが第１レベル未満である場合には、該第１レベルに対応する補正データを選択する一方、入力画像データのレベルが第２レベルを越える場合には、該第２レベルに対応する補正データを選択する構成として、輝度ムラは、一応補正することができる。
【００１６】
ただし、入力画像データのレベルが第１レベル未満である場合、または、第２レベルを超える場合でも、適切に輝度ムラを補正する場合には、次のような構成とすることが望ましい。すなわち、前記入力画像データのレベルが前記第１レベル未満である場合、または、前記第２レベルを越える場合に、当該画像入力レベルと前記第１または第２レベルとの差に応じた係数を出力する係数出力部と、前記係数出力部による係数と、前記選択回路により選択された第１または第２レベルに対応する補正データの各々とを乗算する乗算器とを備え、前記演算部は、前記乗算器による乗算結果を、前記選択回路により選択された第１補正データとして用いる構成が好ましい。この構成によれば、入力画像データのレベルが第１レベル未満である場合、または、第２レベルを超える場合でも、当該レベルに対応して適切に補正データが生成されるので、輝度ムラを補正することが可能となる。このような構成について、前記係数出力部は、前記入力画像データが前記第１レベル未満である領域、または、前記第２レベルを越える領域において、少なくとも２以上のレベルに対応する係数を記憶するルックアップテーブルと、前記ルックアップテーブルに記憶された係数を補間して、当該入力画像データに対応する係数を求める係数補間部とを備える構成が考えられる。この構成によれば、入力画像データが第１レベル未満である領域のレベルの各々に対応して、または、記第２レベルを越える領域のレベルの各々に対応して、係数をルックアップテーブルに記憶させる必要がないので、その分、ルックアップテーブルに必要な記憶容量を削減することが可能となる。
【００１７】
一方、第３発明において、カラー化に対応する場合、前記入力画像データは、ＲＧＢの各色に対応するデータから構成され、前記基準補正データは、ＲＧＢの各色に対応するデータから構成され、前記補間処理部は、ＲＧＢの各色に対応して第１補正データを生成し、前記補正テーブル、前記演算部および前記加算部は、ＲＧＢの色毎に設けられる構成が好ましい。この構成によれば、ＲＧＢの色毎に輝度ムラが補正されることになる。
【００１８】
さらに、人の視覚は、ＲやＢと比較してＧの感度が高いので、前記Ｇの基準補正データにおけるデータ量は、前記Ｒまたは前記Ｂの基準補正データにおけるデータ量より多い構成が望ましい。これにより、Ｇの基準補正データと比較して、ＲやＢの基準補正データのデータ量を相対的に小さくできるので、その分、メモリに必要な記憶容量を削減することが可能となる。
【００１９】
さらに、このようなＲまたはＢの基準補正データは、Ｇの基準補正データに対応する基準座標の複数を一定の規則で抽出した座標に対応するものである構成が望ましい。
【００２０】
そして、本発明に係る電気光学装置は、上述した画像処理回路と、前記画像処理回路によって補正された画像データに基づいて前記画像表示領域に画像を表示する駆動回路とを備えるので、輝度ムラや色ムラが解消されて、高品質な画像表示が可能となる。
【００２１】
さらに、本発明に係る電子機器は、上記電気光学装置を備えることを特徴としている。特に、画像を拡大投射するプロジェクタに用いると、顕著に目立つ輝度ムラや色ムラが適切に補正されるので、その効果が大きいが、直視型の電子機器、例えば、モバイル型のコンピュータや携帯電話等の表示部にも好適である。
【００２２】
【発明の実施の形態】
以下、本発明の実施形態のいくつかについて説明する。
【００２３】
＜１：第１実施形態＞
まず、本発明の第１実施形態について説明する。本実施形態は、電気光学装置の一例であって、アクティブマトリクス型の液晶パネルによる透過画像の合成像を拡大投射するプロジェクタである。
【００２４】
＜１−１：プロジェクタの電気的構成＞
図１は、プロジェクタの電気的な構成を示すブロック図である。この図に示されるようにプロジェクタ１１００は、３枚の液晶表示パネル１００Ｒ、１００Ｇ、１００Ｂと、タイミング回路２００と、画像信号処理回路３００とを備えている。
【００２５】
このうち、液晶表示パネル１００Ｒ、１００Ｇ、１００Ｂの各々は、それぞれＲ（赤）、Ｇ（緑）、Ｂ（青）の原色に対応するものである。ここで、液晶表示パネル１００Ｒ、１００Ｇ、１００Ｂの各々は、それぞれ、素子基板と対向基板との間に液晶を挟持してなり、素子基板にあって表示領域１０３の周縁部分には、データ線駆動回路１０１および走査線駆動回路１０２が形成されている。一方、素子基板にあって表示領域１０３には、横方向（Ｘ方向）に複数のデータ線と、縦方向（Ｙ方向）に走査線が形成されるとともに、各データ線と各走査線との交差に対応して、スイッチング素子として機能するＴＦＴが設けられ、そのゲート電極は走査線に、そのソース電極はデータ線に、そのドレイン電極は画素電極に接続されている。そして、ＴＦＴ、画素電極および対向基板に設けらる対向電極によって１つの画素が形成されている。
【００２６】
また、データ線駆動回路１０１および走査線駆動回路１０２は、表示領域１０３に形成される複数のデータ線と複数の走査線を駆動するように構成されている。なお、本発明において表示領域１０３のドット数は、どのようなものであっても良いが、本実施形態では、説明の便宜上、ＸＧＡ（横１０２４ドット×縦７６８ドット）とする。
【００２７】
次に、タイミング回路２００は、データ線駆動回路１０１、走査線駆動回路１０２および画像信号処理回路３００に各種のタイミング信号を供給するものである。また、画像信号処理回路３００は、ガンマ補正回路３０１、色ムラ補正回路３０２、Ｓ／Ｐ変換回路３０３Ｒ、３０３Ｇ、３０３Ｂおよび反転増幅回路３０４Ｒ、３０４Ｇ、３０４Ｂから構成されている。
【００２８】
このうち、ガンマ補正回路３０１は、ディジタルの入力画像データＤＲ、ＤＧ、ＤＢに対し、液晶パネル１００Ｒ、１００Ｇ、１００Ｂの各々の表示特性に対応してガンマ補正を施した画像データＤＲ’、ＤＧ’、ＤＢ’を出力するものである。続いて、色ムラ補正回路３０２は、画像データＤＲ’、ＤＧ’、ＤＢ’に対し、後述する色ムラ補正を施すとともに、補正されたデータをＤ／Ａ変換して、画像信号ＶＩＤＲ、ＶＩＤＧ、ＶＩＤＢを出力するものである。
【００２９】
次に、Ｒに対応するＳ／Ｐ変換回路３０３Ｒは、１系統の画像信号ＶＩＤＲを入力すると、これを６系統に分配するとともに、時間軸に６倍に伸長（シリアル−パラレル変換）して出力するものである。ここで、６系統の画像信号に変換する理由は、液晶表示パネルのサンプリング回路（データ線駆動回路１０１に内蔵）において、ＴＦＴに供給される画像信号の印加時間を長くして、液晶表示パネルのデータ信号のサンプリング時間および充放電時間を十分に確保するためであるが、本発明とは直接関係しないので、その説明を省略することにする。
【００３０】
さらに、Ｒに対応する反転増幅回路３０４Ｒは、画像信号を極性反転させた後、増幅して、画像信号ＶＩＤｒ１〜ＶＩＤｒ６として液晶表示パネル１００Ｒに供給するものである。
なお、色ムラ補正回路３０２によるＧの画像信号ＶＩＤＧについても、同様に、Ｓ／Ｐ変換回路３０３Ｇによって６系統に変換された後に、反転増幅回路３０４Ｇによって反転・増幅されて、画像信号ＶＩＤｇ１〜ＶＩＤｇ６として液晶表示パネル１００Ｇに供給される。同様に、Ｂの画像信号ＶＩＤＢについても、Ｓ／Ｐ変換回路３０３Ｂによって６系統に変換された後に、反転増幅回路３０４Ｂによって反転・増幅されて、画像信号ＶＩＤｂ１〜ＶＩＤｂ６として液晶表示パネル１００Ｂに供給される。
【００３１】
また、反転・増幅回路３０４Ｒ、３０４Ｇ、３０４Ｂにおける極性反転とは、画像信号の振幅中心電位を基準として、その電圧レベルを交互に反転させることをいう。また、反転するか否かについては、データ信号の印加方式が▲１▼走査線単位の極性反転であるか、▲２▼データ信号線単位の極性反転であるか、▲３▼画素単位の極性反転であるかに応じて定められ、その反転周期は、１水平走査期間またはドットクロック周期に設定される。
【００３２】
＜１−２：プロジェクタの機械的な構成＞
次に、プロジェクタの機械的な構成について説明する。図２は、このプロジェクタの構成を示す平面図である。
この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの各原色に分離されて、それぞれライトバルブとしての液晶パネル１００Ｒ、１００Ｂおよび１００Ｇに入射される。
【００３３】
液晶パネル１００Ｒ、１００Ｂおよび１００Ｇには、画像信号処理回路３００（図２では省略）により処理されたＲ、Ｇ、Ｂの画像信号（ＶＩＤｒ１〜ＶＩＤｒ６、ＶＩＤｇ１〜ＶＩＤｇ６、ＶＩＤｂ１〜ＶＩＤｂ６）がそれぞれ供給される。これにより、液晶パネル１００Ｒ、１００Ｇ、１００Ｂは、それぞれＲＧＢの各原色画像を生成する光変調器として機能することになる。
さて、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。これにより、各原色画像の合成像が、投射レンズ１１１４を介して、スクリーン等に投写されることとなる。なお、液晶パネル１００Ｒ、１００Ｂ、１００Ｇには、ダイクロイックミラー１１０８によって、Ｒ、Ｇ、Ｂの各原色に対応する光が入射するので、直視型パネルのようなカラーフィルタは不要である。
【００３４】
＜１−３：色ムラ補正回路の構成＞
次に、図１における色ムラ補正回路３０２の詳細な構成ついて説明する。図３は、この色ムラ補正回路の構成を示すブロック図である。この図に示されるように色ムラ補正回路３０２は、Ｘカウンタ１０、Ｙカウンタ１１、ＲＯＭ（Read Only Memory）１２、補間処理部１３および補正ユニットＵＲ、ＵＧ、ＵＢから構成される。
【００３５】
まず、Ｘカウンタ１０は、ドット周期に同期するドットクロック信号ＤＣＬＫをカウントして、入力画像データのＸ座標を示すＸ座標データＤｘを出力するものである。一方、Ｙカウンタ１１は、水平走査に同期する水平クロック信号ＨＣＬＫをカウントして、入力画像データのＹ座標を示すＹ座標データＤｙを出力するものである。したがって、Ｘ座標データＤｘとＹ座標データＤｙとを参照することによって、当該入力画像データに対応するドット（画素）の座標を知ることができる。
【００３６】
次に、ＲＯＭ１２は不揮発性のメモリであり、プロジェクタ１１００の電源投入時に、基準補正データＤrefを出力する。この基準補正データＤrefは、予め定められた複数の基準座標毎に対応し、かつ、ＲＧＢの色毎において特定レベルに対応するものであって、色ムラを補正する際の基準となるデータである。
ここで、本実施形態における基準座標について説明する。図４は、基準座標について表示領域１０３との関連において説明するための概念図である。上述したように本実施形態にあっては、表示領域１０３が横１０２４ドット×縦７６８ドットで構成されるが、この表示領域を、横８個×縦６個のブロックに分割し、これらブロックの頂点に位置する計６３点の座標（図において黒丸で示される）を、本実施形態では基準座標と称呼することしたものである。
【００３７】
次に、ＲＧＢの色毎における特定のレベルについて説明する。一般に、液晶表示パネルは、一般に、電気光学物質である液晶の組成に応じた表示特性を有するので、画像データのある１つのレベルに対応する補正データを用いて、画像データが取り得るレベルのすべてを補正しても、正確な補正を行うことができない。例えば、中央（灰色）レベルで最適化された補正データを用いて、画像データにおけるすべてのレベルを補正しても、特に黒レベルや白レベルにおいて正確な補正を行うことができず、したがって、そのようなレベルにおいて輝度ムラを抑圧することができない。一方、画像データのすべてのレベルに対応して補正データを格納するのは理想的ではあるが、ＲＯＭ１２において必要とする記憶容量が増大してしまうことになる。そこでまず、本実施形態においては、３つの異なるレベルに対応して基準補正データＤrefを記憶しておき、これら３つのレベル以外のレベルに対応する補正データについては、記憶した基準補正データＤrefを、補間処理して求めることとした。
【００３８】
これについて詳細に説明する。図５は、液晶容量に印加される電圧実効値と透過率（または反射率）との関係を示す表示特性Ｗにおいて、基準補正データＤrefに対応する電圧レベルが、どの地点に相当するかを示すための図である。なお、この図は、液晶容量に印加される電圧実効値がゼロである場合に、透過率が最大（白表示）となるノーマリーホワイトモードについて示している。
【００３９】
この図に示されるように、表示特性Ｗは、液晶容量に印加される電圧実効値がゼロから次第に大きくなると、透過率が緩やかに低下し、電圧レベルＶ１を越えると急峻に透過率が低下し、さらに、電圧レベルＶ３を越えると透過率が緩やかに低下する。ここで、電圧レベルＶ０は、画像データが最小レベルとなる場合に液晶容量に印加される電圧実効値であり、電圧レベルＶ４は、画像データが最大レベルとなる場合に液晶容量に印加される電圧実効値である。そして、このような表示特性Ｗにおいて、本実施形態における基準補正データＤrefは、電圧レベルＶ１、Ｖ２およびＶ３のそれぞれに対して、後述する手法により設定されたものである。なお、電圧レベルＶ１およびＶ３は、表示特性Ｗにおいて急峻に変化する点に対応するものであり、電圧レベルＶ２は、透過率が略５０％となる点に対応している。
【００４０】
ここで、上述した３つの電圧レベルを選んだ理由は、次の通りである。第１に、電圧レベルＶ１未満の領域、または、電圧レベルＶ３を越える領域においては、画像データのレベル（階調）が大きく相違しても、透過率変化が小さいので、電圧レベルＶ１またはＶ３に対応する基準補正データＤrefを用いれば、通常では十分である、と考えられるからである。第２に、仮に電圧レベルＶ１、Ｖ３の替わりに電圧レベルＶ０、Ｖ４に対応する基準補正データＤrefを記憶して、電圧レベルＶ０〜Ｖ４の範囲における各レベルに対応する補正データを補間処理して算出すると、表示特性Ｗが、電圧レベルＶ１、Ｖ３にて急峻に変化するため、補正データを全域にわたって正確に算出することができないからである。第３に、透過率が略５０％となる電圧レベルＶ２を用いることによって、補間処理の精度を高めることができるからである。
【００４１】
なお、以下の説明においては、電圧レベルＶ１を白基準レベルと、電圧レベルＶ２を中央基準レベルと、電圧レベルＶ３を黒基準レベルと、それぞれ適宜称呼することにする。また、この例では、白基準レベルと、中央基準レベルと、黒基準レベルとに対応して基準補正データＤrefを用意することにしたが、白基準レベルから黒基準レベルまでの範囲を分割する複数点に対応して基準補正データＤrefを用意してもよい。
【００４２】
次に、ＲＯＭ１２の記憶内容について説明する。図６は、ＲＯＭ１２の記憶内容を示す図である。
この図に示されるように、ＲＯＭ１２には、６３点の基準座標毎に、９個の基準補正データＤrefが格納されている。詳細には、１個の基準座標に対応する９個の基準補正データＤrefは、ＲＧＢの色毎に、さらに白基準レベル、中央基準レベルおよび黒基準レベルにそれぞれ対応して格納されている。
【００４３】
ここで、図において、データを示す「Ｄ」に続く第１番目の添字「Ｒ」、「Ｇ」、「Ｂ」は、どの色に対応しているかを示している。また、第２番目の添字のうち、「ｗ」は白基準レベルに、「ｃ」は中央基準レベルに、「ｂ」は黒基準レベルに対応していることを示している。さらに、第３番目および第４番目の添字「ｉ、ｊ」は、対応する基準座標を示している。例えば、「ＤＲｃ２５６、１」とは、Ｒ（赤）色であって、中央基準レベルに対応し、かつ、基準座標（２５６、１）に対応する基準補正データであることを示している。
なお、以下の説明では、基準補正データについて、ＲＧＢの各色で区別する場合、Ｒに対応するものをＤrefrと、Ｇに対応するものをＤrefgと、Ｂに対応するものをＤrefbとそれぞれ表記する一方、ＲＧＢの各色で区別しない場合、単にＤrefと表記することにする。
【００４４】
次に、基準補正データＤrefの設定について説明する。図７は、基準補正データＤrefを設定する際に用いるシステムの構成を示す図である。
この図に示されるシステム１０００は、実施形態に係るプロジェクタ１１００、ＣＣＤカメラ５００、パーソナルコンピュータ６００およびスクリーンＳから構成されるが、色ムラ補正回路３０２については動作を停止させている。さて、このシステムにおいて、ＣＣＤカメラ５００は、プロジェクタ１１００により投射されてスクリーンＳに写し出された画像を撮像して、画像信号Ｖｓに変換出力するものである。また、パーソナルコンピュータ６００は、画像信号Ｖｓを解析して次のような手順で基準補正データＤrefを生成するものである。
【００４５】
まず、このシステム１０００に、図示せぬ信号発生器を接続して、白基準レベルに対応するＲの画像データＤＲ’を供給する（画像データＤＧ’、ＤＢ’については、最低透過率の電圧レベルＶ４に対応させて固定する）。これにより、スクリーンＳに赤一色の画像が表示される。
次に、この画像は、ＣＣＤカメラ５００によって撮像され、画像信号Ｖｓとして、パーソナルコンピュータ６００に供給される。そして、パーソナルコンピュータ６００は、画像信号Ｖｓから、１フレームの画面を図４に示される縦６個×横８個のブロックに分割して各ブロックの平均輝度レベルを求め、これに基づいて、各基準座標の輝度レベルを算出する。詳細には、パーソナルコンピュータ６００は、ある基準座標の輝度レベルについて、当該基準座標に隣接する１、２または４つのブロックの平均輝度レベルを平均して求める。
【００４６】
続いて、パーソナルコンピュータ６００は、基準座標の輝度レベルと予め定められた輝度レベルとを比較し、その比較結果に基づいて基準補正データＤrefを算出する。なお、パーソナルコンピュータ６００は、この算出動作を、６３点のすべての基準座標について、さらに、中央基準レベル（電圧レベルＶ２）、黒基準レベル（Ｖ３）についても同様に実行して、Ｒに対応する基準補正データＤrefrを算出する。
【００４７】
引き続き、画像データＤＲ’、ＤＢ’を最低透過率の電圧レベルＶ４に対応させて固定し、Ｇの画像データＤＧ’を白基準レベル、中央基準レベル、黒基準レベルに対応するように順次切り替えて、パーソナルコンピュータ６００に対し、Ｇに対応する基準補正データＤrefgを算出させる。同様に、画像データＤＲ’、ＤＧ’を最低透過率の電圧レベルＶ４に対応させて固定し、Ｂの画像データＤＢ’を白基準レベル、中央基準レベル、黒基準レベルに対応するように順次切り替えて、パーソナルコンピュータ６００に対し、Ｂに対応する基準補正データＤrefbを算出させる。そして、このように算出された基準補正データＤrefr、Ｄrefg、Ｄrefbが、当該プロジェクタ１１００におけるＲＯＭ１２に格納される。
【００４８】
説明を再び図３に戻すと、補間処理部１３は、白基準レベル、中央基準レベルおよび黒基準レベルに対応する基準補正データＤrefを補間処理することによって、補正データＤＨを基準座標毎に、かつ、ＲＧＢの色毎に算出するものである。
具体的には、補間処理部１３は、白基準レベルに対応する基準補正データＤrefと中央基準レベルに対応する基準補正データＤrefとから、白基準レベルから中央基準レベルまでの各レベルに対応する補正データＤＨを算出し、同様に、中央基準レベルに対応する基準補正データＤrefと黒基準レベルに対応する基準補正データＤrefとから、中央基準レベルから黒基準レベルまでの各レベルに対応する補正データＤＨを算出する。
【００４９】
なお、本実施形態における補間処理部１３は、直線補間によって補正データＤＨを算出するものとする。例えば、電圧レベルＶａ（ただし、Ｖ１＜Ｖａ＜Ｖ２）、座標（ｉ、ｊ）、Ｒに対応する補正データＤＨは、次の式で与えられる。すなわち、ＤＨ＝（ＤＲｗｉ、ｊ）・（Ｖａ−Ｖ１）／（Ｖ２−Ｖ１）＋（ＤＲｃｉ、ｊ）・（Ｖ２−Ｖａ）／（Ｖ２−Ｖ１）
【００５０】
したがって、補間処理部１３によって、基準座標毎に、白基準レベル（電圧レベル）Ｖ１から黒基準レベル（電圧レベルＶ３）までの各レベルに対応した補正データＤＨが算出されることになる。なお、以下の説明では、ＲＧＢの各色に対応する補正データＤＨを、ＤＨｒ、ＤＨｇ、ＤＨｂと表記することにする。
【００５１】
次に、補正ユニットＵＲ、ＵＧ、ＵＢは、上述した補間処理部１３で生成された補正データに基づいて、ＲＧＢの各色に対応する画像データＤＲ’、ＤＧ’、ＤＢ’に補正処理を施すとともに、補正されたデータをＤＡ変換して画像信号ＶＩＤＲ、ＶＩＤＧ、ＶＩＤＢとして出力するものである。ここで、各補正ユニットＵＲ、ＵＧ、ＵＢは、本実施形態では共通構成であるので、代表して補正ユニットＵＲについて説明すると、補正ユニットＵＲは、補正テーブル１４Ｒ、演算部１５Ｒ、加算部１６Ｒ、アドレス発生部１７ＲおよびＤＡ変換器１８Ｒを備えている。
【００５２】
このうち、補正テーブル１４Ｒは、補間処理部１３による補正データＤＨｒについて、基準座標を行アドレスとし、レベル方向を列アドレスとした領域に記憶する一方、読出アドレスで指定された記憶領域から４点の補正データＤＨｒ１〜ＤＨｒ４が出力される構成となっている。
【００５３】
ここで、補正テーブル１４Ｒにおける記憶内容について図８を参照して説明する。この図において、「ｍ」は電圧レベルＶ１に対応する画像データを示し、「ｎ」は電圧レベルＶ３に対応する画像データを示す。図に示されるように、補正テーブル１４Ｒは、各基準座標に対応付けて補正データＤＨｒを記憶している。ここで、補正データＤＨｒに続く第１番目および第２番目の添字「ｉ、ｊ」は、対応する基準座標を示すものであり、第３番目の添字「（Ｘ）」は、対応する画像データのレベルを示している。例えば、ＤＨｒ１、１２８（ｍ＋２）とは、基準座標（１、１２８）、画像データのレベル（ｍ＋２）に対応する補正データであることを示している。
【００５４】
次に、アドレス発生部１７Ｒは、Ｘ座標データＤｘ、Ｙ座標データＤｙと、画像データＤＲ’とに基づいて、以下の手順で４つの読出アドレスを順次生成するものである。
すなわち、第１に、アドレス発生部１７Ｒは、Ｘ座標データＤｘおよびＹ座標データＤｙによって特定される座標の近傍に位置する４点の基準座標を特定する。例えば、Ｘ座標データＤｘおよびＹ座標データＤｙによって特定される座標が（６４、６４）であるならば（図４参照）、基準座標として４つの（１、１）、（１２８、１）、（１、１２８）、（１２８、１２８）を特定する。これにより、第１行、第２行、第１０行、第１１行を指示する４つの行アドレスが生成される。
第２に、アドレス発生部１７Ｒは、画像データＤＲ’のレベルに対応する列アドレスを生成する。例えば、画像データＤＲ’のレベルが「ｍ＋１」であるならば、第２列を指示する列アドレスを生成する。ただし、画像データＤＲ’が「ｍ」未満の場合には第１列を指示する列アドレスを生成し、画像データＤＲ’が「ｎ」を越える場合には「ｎ」に対応する列アドレスを生成する。
第３に、アドレス発生部１７Ｒは、４つの行アドレスと１つの列アドレスを組み合わせて４つの読出アドレスを生成する。
そして、このアドレス発生部１４Ｒによって、補正テーブル１４Ｒに記憶されている補正データＤＨｒの中から、４つの補正データＤＨｒ１〜ＤＨｒ４が選択される。例えば、画像データＤＲ’が「ｍ＋１」であり、Ｘ座標データＤｘおよびＹ座標データＤｙによって特定される座標が（６４、６４）であるならば、図８においてＤＨｒ１，１（ｍ＋１）と、ＤＨｒ１２８，１（ｍ＋１）と、ＤＨｒ１，１２８（ｍ＋１）と、ＤＨｒ１２８，１２８（ｍ＋１）とが補正データＤＨｒ１〜ＤＨｒ４として補正テーブル１４Ｒから読み出される。
【００５５】
次に、図３における演算部１５Ｒは、読み出された４点の補正データＤＨｒ１〜ＤＨｒ４を用いて、Ｘ座標データＤｘおよびＹ座標データＤｙによって特定される座標（当該画像データＤＲ’に対応する座標）に相当するであろう補正データＤｈを補間処理により求めるものである。詳細には、演算部１５Ｒは、４点の補正データＤＨｒ１〜ＤＨｒ４に対し、Ｘ座標データＤｘおよびＹ座標データＤｙによって特定される座標から、補正データＤＨｒ１〜ＤＨｒ４に対応する座標までの各距離に応じて直線補間することにより、補正データＤｈを求める。
【００５６】
そして、加算部１６Ｒは、画像データＤＲ’と補正データＤｈとを加算して、補正済画像データを生成する。この補正済画像データは、ＤＡ変換器１８Ｒを介してアナログの画像信号ＶＩＤＲとして出力される。
なお、ここでは、Ｒ（赤）の画像データＤＲ’を補正する場合について説明したが、Ｇ（緑）の画像データＤＧ’やＢ（青）の画像データＤＢ’についても同様な色ムラ補正の処理が施されて、アナログの画像信号ＶＩＤＧ、ＶＩＤＢとして出力されることになる。
【００５７】
＜１−４：色ムラ補正回路の動作＞
次に、色ムラ補正回路３０２の動作について説明する。図９は、色ムラ補正回路の動作を示すフローチャートである。ここでは、Ｒに対応する色ムラ補正の動作について説明するが、Ｂ、Ｇについても同様である。
【００５８】
まず、プロジェクタ１１００に電源が投入されると（ステップＳ１）、ＲＯＭ１２から各基準座標に対応する基準補正データＤref（Ｄrefr、Ｄrefg、Ｄrefb）が読み出される（ステップＳ２）。次に、補間処理部１３は、基準補正データＤrefに基づいて、階調（レベル）方向の補間処理を実行して、補正データＤＨｒ、ＤＨｇ、ＤＨｂを生成する（ステップＳ３）。すなわち、基準補正データＤrefr、Ｄrefg、Ｄrefrの各々は、それぞれ、６３点の基準座標において３つの電圧レベルＶ１、Ｖ２、Ｖ３にしか対応していないので、電圧レベルＶ１から電圧レベルＶ３までの各レベルに対応する補正データＤＨｒ、ＤＨｇ、ＤＨｂについては、それぞれ補間処理によって生成することにしたものである。
【００５９】
次に、電源投入から一定時間が経過して、補正ユニットＵＲ、ＵＧ、ＵＢの各々における補正テーブルに、補正データＤＨｒ、ＤＨｇ、ＤＨｂがそれぞれ格納されると、ドットクロック信号ＤＣＬＫがＸカウンタ１０に、水平クロック信号ＨＣＬＫがＹカウンタ１１に、それぞれ供給されるとともに（ステップＳ４）、これらのクロック信号に同期して、画像データＤＲ’、ＤＧ’、ＤＢ’が供給される。ここで、Ｘカウンタ１０から出力されるＸデータ座標ＤｘおよびＹカウンタ１１から出力されるＹデータ座標Ｄｙによって、あるタイミングにおける画像データＤＲ’、ＤＧ’、ＤＢ’が、画像表示領域上において、どのドットに対応しているのかが示されることになる。
【００６０】
続いて、座標方向の補間処理の元になる４つの補正データＤＨｒ１〜ＤＨｒ４が、Ｘ座標データＤｘおよびＹ座標データＤｙと、画像データＤＲ’のレベルとに基づいて、補正テーブル１４Ｒから読み出される（ステップＳ５）。他の色についても同様である。
この後、補正データＤＨｒ１〜ＤＨｒ４が、Ｘ座標データＤｘおよびＹ座標データＤｙに基づき、演算部１５Ｒによって補間処理されて（ステップＳ６）、補正データＤｈが生成される（ステップＳ７）。そして、補正データＤｈと画像データＤＲ’とが加算部１６Ｒによって加算され（ステップＳ８）、ＤＡ変換器１８Ｒによりアナログ変換されて、Ｒ（赤）の画像信号ＶＩＤＲとして出力される。Ｇ（緑）およびＢ（青）についても、同様な処理が施された後に、画像信号ＶＩＤＧ、ＶＩＤＢとして出力される。
【００６１】
このような実施形態に係る色ムラ補正回路３０２によれば、基準座標毎に対応し、かつ、３つの電圧レベルＶ１、Ｖ２、Ｖ３に対応する基準補正データＤrefから、画像データの各レベルに対応する補正データＤＨが基準座標毎に生成されるとともに、４点の補正データＤＨｒ１〜ＤＨｒ４に対し、Ｘ座標データＤｘおよびＹ座標データＤｙに応じ補間処理が施されて、補正データＤｈが生成される。このため、画像データＤＲ’、ＤＧ’、ＤＢ’の各レベルに応じて、きめ細かい補正が施されるので、すべての階調にわたって色ムラや輝度ムラを大幅に低減することが可能となる。
【００６２】
また、補正データＤｈの生成は、画像データＤＲ’、ＤＧ’、ＤＢ’毎に行うようにしたので、Ｒの補正量が足らない場合に、これをＧ、Ｂで補って、ホワイトバランスを保つといったことも可能である。例えば、画像データＤＲ’、ＤＧ’、ＤＢ’のビット数が１０ビットである場合に、補正データＤｈのビット数を４ビットに制限すると、色毎の補正では、完全に色ムラを補正しきれないこともあり得るが、他の色とのバランスで補正すれば、色ムラを解消することができる。
【００６３】
さらに、レベルに対応する補間処理を実行した後に、座標に対応する補間処理が実行されるので、すなわち、２段階の補間処理が実行されるので、ＲＯＭ１２および補正テーブル１４Ｒのメモリ容量が大幅に削減されることになる。
くわえて、Ｘカウンタ１０、Ｙカウンタ１１、ＲＯＭ１２および補間処理部１３は、各補正ユニットＵＲ、ＵＧ、ＵＢで兼用しているので、その分、構成が簡易となる結果、低コストを図ることが可能である。
なお、上述した実施形態にあっては、色ガンマ補正回路３０１の後段に色ムラ補正回路３０２を設けたが、これを逆転させ、入力画像データＤＲ、ＤＧ、ＤＢを色ムラ補正回路３０２に入力して色ムラ補正を施した後に、ガンマ補正を施すようにしてもよいことは勿論である。
【００６４】
＜２：第２実施形態＞
次に、本発明の第２実施形態について説明する。この第２実施形態に係るプロジェクタは、図２に示される第１実施形態の機械的な構成と同一である。また、その電気的構成は、色ムラ補正回路３０２の替わりに、その回路規模を縮小した色ムラ補正回路３０２’を用いる点を除いて、図１および図３に示す第１実施形態の電気的構成と同一である。
【００６５】
＜２−１：色ムラ補正回路の構成＞
図１０は、第２実施形態における色ムラ補正回路３０２’の主要構成を示すブロック図である。この色ムラ補正回路３０２’は、基準補正データＤref（Ｄrefr、Ｄrefg、Ｄrefb）を予め記憶しておき、補間処理部１３によってレベル方向の補間を施して補正データＤＨｒ、ＤＨｇ、ＤＨｂを生成し、さらに、これらに基づいて色ムラ補正した画像信号ＶＩＤＲ、ＶＩＤＧ、ＶＩＤＢを生成するといった基本的仕組みは、第１実施形態における色ムラ補正回路３０２と共通である。
【００６６】
しかしながら、色ムラ補正回路３０２’は、ＲＯＭ１２の替わりに記憶容量の少ないＲＯＭ１２’を用いる点、および、補正テーブル１４Ｒ、１４Ｂの替わりに記憶容量の少ない補正テーブル１４Ｒ’、１４Ｂ’を用いる点で、第１実施形態の色ムラ補正回路３０２と相違する。
【００６７】
さて、人の視覚には、Ｒ（赤）、Ｂ（青）と比較してＧ（緑）の感度が高いといった特性がある。したがって、色ムラに対する感度もＧが最も高くなるので、ＲやＢにおいて人が検知できない程度の色ムラがあっても、Ｇでは検知されてしまう。換言すれば、Ｇに対する色ムラの補正精度をＲやＢよりも高くすることによって、ＲＧＢの原色画像を合成した場合の表示品質が向上することになる。
一方、上述したように色ムラは、基準補正データＤrefr、Ｄrefg、Ｄrefbに基づいて補正されるため、これらのデータ量が多い程、補正精度を向上させることができる。一方、これらのデータを記憶するＲＯＭ１２’の記憶容量には一定の限界があり、記憶容量が大きくなるにつれて、そのコストが上昇する。
【００６８】
したがって、ＲＯＭ１２’の記憶容量は、コストと補正精度とがバランスするように決定されることになる。本実施形態は、この点に鑑みてなされたものであり、人の視覚特性に応じて、基準補正データＤrefr、Ｄrefg、Ｄrefbのデータ量の割合を定めることにより、ある記憶容量のＲＯＭ１２’を用いて、視覚上最大の効果を得られるようにしたものである。そこで、以下、色ムラ補正回路３０２’に用いるＲＯＭ１２’および補正テーブル１４Ｒ’、１４Ｂ’を中心に説明する。
【００６９】
まず、図１１は、第２実施形態における基準座標について、表示領域１０３との関連において説明するための概念図である。この図に示されるように、表示領域１０３が横１０２４ドット×縦７６８ドットで構成されるが、この表示領域を、横８個×縦６個のブロックに分割して、これらブロックの頂点に位置する計６３点の座標（図において黒丸および二重丸で示される）が、Ｇの基準座標である。一方、ＲおよびＢの基準座標は、二重丸で示される２０点のみである。すなわち、Ｒ、Ｂの基準座標は、Ｇの基準座標の中からを一定の規則に従って抽出したものである。
【００７０】
したがって、Ｒの基準補正データＤrefrおよびＢの基準補正データＤrefbは、それぞれ２０点の基準座標の各々に対応して記憶されるので、６３点の基準座標の各々に対応して記憶されるＧの基準補正データＤrefgと比較して、そのデータ量が２０／６３（≒１／３）になる。
【００７１】
次に、本実施形態におけるＲＯＭ１２’において、基準補正データＤrefr、Ｄrefg、Ｄrefbがどのように格納されるかにつき、図１２を参照して説明する。この図に示されるように、ＲＯＭ１２’において、Ｇにあっては、基準補正データＤＧｗｉ，ｊと、ＤＧｃｉ，ｊと、ＤＧｂｉ，ｊとのトリオが、６３点の基準座標毎に記憶されている。一方、ＲＯＭ１２’において、Ｒにあっては、基準補正データＤＲｗｉ，ｊと、ＤＲｃｉ，ｊと、ＤＲｂｉ，ｊとのトリオが、２０点の基準座標毎に記憶され、同様に、Ｂにあっては、基準補正データＤＢｗｉ，ｊと、ＤＢｃｉ，ｊと、ＤＢｂｉ，ｊとのトリオが、２０点の基準座標毎に記憶されている。
【００７２】
このため、基準補正データＤrefr、Ｄrefbは、例えば、図１１に示される第１行の基準座標（１、１）、（１２８、１）、…、（１０２４、１）のうち、（１、１）、（２５６、１）、（５１２、１）、（７６８、１）、（１０２４、１）について記憶され、第２行については記憶されないことになる。さらに、第３行以降についても第１行および第２行と同様に基準座標が間引かれる。したがって、ＲＯＭ１２’の記憶容量は、すべての基準座標について記憶する場合（第１実施形態のＲＯＭ１２）と比較して、（２０＋６３＋２０）／（６３＋６３＋６３）、すなわち約５４％で済む。これにより、まず、ＲＯＭ１２’の記憶容量を大幅に削減することができる。
【００７３】
次に、このような基準補正データＤrefrから補間処理により生成される補正データＤＨｒが、補正テーブル１４Ｒ’において、どのように記憶されるかについて、図１３を参照して説明する。この図に示されるように、補正テーブル１４Ｒ’には、補正データＤＨｒが、２０点の基準座標毎に、かつ、第１列に相当する電圧レベルＶ１から第ｎ列に相当する電圧レベルＶ３までのレベル毎に、それぞれ対応して記憶されている。
【００７４】
ここで、第１実施形態においては、Ｒ、Ｇ、Ｂの各々について、６３点の基準座標に対応して基準補正データＤrefr、Ｄrefbを記憶する一方、これらにレベル方向の補間処理を施して、補正データＤＨｒ、ＤＨｂを生成していた。これに対して、第２実施形態では、Ｒ、Ｂについては、２０点の基準座標に対応して基準補正データＤrefr、Ｄrefbを記憶する一方、これらにレベル方向の補間処理を施して、補正データＤＨｒ、ＤＨｂを生成している。このため、第２実施形態において、補正データＤＨｒ、ＤＨｂのデータ量は、第１実施形態と比較して約１／３に減少する。したがって、これらを記憶する補正テーブル１４Ｒ’、１４Ｂ’の記憶容量を約１／３に削減することができる。
【００７５】
＜２−２：色ムラ補正回路の動作＞
次に、第２実施形態における色ムラ補正回路３０２’の動作を具体的に説明する。
【００７６】
まず、電源が投入されると、ＲＯＭ１２’から、Ｇについては６３点の基準座標に対応する基準補正データＤrefgが読み出される一方、Ｒ色およびＢ色については２０点の基準座標に対応する基準補正データＤrefr、Ｄrefbが読み出される。
次に、補間処理部１３は、各基準補正データＤrefg、Ｄrefr、Ｄrefbにレベル方向の補間処理を施して、補正データＤＨｒ、ＤＨｇ、ＤＨｂを生成し、これらを補正テーブル１４Ｒ’、１４Ｇ、１４Ｂ’に転送する。一方、Ｘカウンタ１０はドットクロック信号ＤＣＬＫを、Ｙカウンタ１１は水平クロック信号ＨＣＬＫを、それぞれカウントするが、これらのカウント結果であるＸ座標データがＤｘ＝６４となり、かつ、Ｙ座標データがＤｙ＝６４となった場合を想定する。すなわち、図１１において、座標（６４、６４）のドットに対応する画像データＤＲ’、ＤＧ’、ＤＢ’を補正する場合について想定する。
【００７７】
さて、座標方向の補間処理の元になる補正データであって、Ｒに対応する４点の補正データＤＨｒ１〜ＤＨｒ４が、Ｘ座標データＤｘおよびＹ座標データＤｙと、画像データのレベルとに基づいて、補正テーブル１４Ｒ’から読み出される。Ｇについても４点の補正データが補正テーブル１４Ｇから読み出され、同様に、Ｂについても４点の補正データが補正テーブル１４Ｂ’から読み出される。
ここで、Ｇについては、（１、１）、（１２８、１）、（１、１２８）、（１２８、１２８）の各基準座標に対応する補正データが読み出される一方、Ｒおよび色については、それぞれ（１、１）、（２５６、１）、（１、２５６）、（２５６、２５６）の各基準座標に対応する補正データが読み出される。
【００７８】
この後、演算部１５Ｒ、１５Ｇ、１５Ｂの各々は、それぞれ、Ｘ座標データＤｘおよびＹ座標データＤｙに基づいて、対応する色の４点の補正データに補間処理を施す。なお、補間処理は、直線補間を用いて行われる。このため、その精度は、表示すべき画像データの座標と元になる補正データとの距離に応じて定まり、距離が短い程精度が向上する。したがって、補間処理によって生成された補正データＤｈの精度については、ＧがＲおよびＢに比べて高くなる。上述したように、人の視覚特性は、ＲやＢに比べてＧの感度が高いので、Ｇの補正精度を相対的に高めることによって、ＲＧＢの原色画像を合成した場合の表示品質を向上させることができる。
【００７９】
なお、第２実施形態は、人の視覚特性に応じて、基準補正データＤrefr、Ｄrefg、Ｄrefbのデータ量を異ならせるものであるから、すべての基準座標について基準補正データＤrefr、Ｄrefg、Ｄrefbを用意しておき、Ｄrefgについては１０ビット、ＤrefrおよびＤrefbについては５ビットといったように、各データのビット数を視覚特性に応じて定めるようにしてもよい。
【００８０】
＜３：第３実施形態＞
上述した第１および第２実施形態にあっては、白基準レベル（電圧レベル）Ｖ１から黒基準レベル（電圧レベルＶ３）までの範囲に限って、各レベルに対応した補正データＤＨｒ、ＤＨｇ、ＤＨｂを補間処理部１３によって算出し、これらを、補正テーブル１４Ｒ、１４Ｇ、１４Ｂの各々によって記憶する構成となっていた。これは、電圧レベルＶ１未満の領域、または、電圧レベルＶ３を越える領域においては、画像データのレベル（階調）が大きく相違しても、透過率変化が小さいので、電圧レベルＶ１またはＶ３に対応する基準補正データＤrefを用いれば、通常では十分である、と考えたからである。
【００８１】
しかしながら、実際には、電圧レベルＶ１未満に対応する輝度レベルの表示をする場合に、電圧レベルＶ１未満である画像データの補正データとして、電圧レベルＶ１に対応する基準補正データＤrefを一律に用いると、当該補正データは該画像データに真に対応するものではないので、補正が十分に行われない事態が想定される。同様な事態は、電圧レベルＶ３を越える輝度レベルの表示をする場合にも発生し得る、と考えられる。
【００８２】
そこで、本発明の第３実施形態では、電圧レベルＶ１未満の領域および電圧レベルＶ３を越える領域においても、それらの領域の電圧レベルに対応して適切な補正データを算出する構成として、電圧レベルＶ１未満および電圧レベルＶ３を越える領域に対応する輝度レベルにおいても色ムラの解消を図ることにした。
【００８３】
ところで、電圧レベルＶ１未満の領域において、該電圧レベルに対応する補正データを算出するにしても、その補正データの内容は、電圧レベルＶ１に対応する基準補正データＤrefと大きな差はないと考えられる。このため、本実施形態では、画像データが取り得るレベルに対応する最小電圧レベルＶ０から白基準レベルに対応する電圧レベルＶ１までの範囲における補正データについては、当該電圧レベルと電圧レベルＶ１との差に応じて、電圧レベルＶ１に対応する基準補正データＤrefに、「１」よりも徐々に大きくなる係数を乗算したものを、当該電圧レベルに対応する補正データとして用いることとした。同様に、電圧レベルＶ３を越える領域において、該電圧レベルに対応する補正データを算出するにしても、その補正データの内容は、電圧レベルＶ３に対応する基準補正データＤrefと大きな差はないと考えられるので、黒基準レベルに対応する電圧レベルＶ３から画像データが取り得るレベルに対応する最大電圧レベルＶ４までの範囲における補正データについては、当該電圧レベルと電圧レベルＶ３との差に応じて、電圧レベルＶ３に対応する基準補正データＤrefに、「１」よりも徐々に大きくなる係数を乗算したものを、当該電圧レベルに対応する補正データとして用いることとした。
【００８４】
一方、上述した第１および第２実施形態にあって、アドレス発生部１７Ｒ（１７Ｇ、１７Ｂ）は、補正テーブル１４Ｒ（１４Ｇ、１４Ｂ）に対し、入力画像データＤＲ’（ＤＧ’、ＤＢ’）が電圧レベルＶ１未満の場合、第１列を指示する列アドレスを生成して、近傍に位置する４点の基準座標にあって電圧レベルＶ１に対応する補正データを読み出し、また、入力画像データＤＲ’（ＤＧ’、ＤＢ’）が電圧レベルＶ３を越える場合、第ｎ列を指示する列アドレスを生成して、近傍に位置する４点の基準座標にあって電圧レベルＶ３に対応する補正データを読み出す構成となっている。そこで、第３実施形態では、電圧レベルＶ１、Ｖ３に対応する補正データに係数を乗算するポイントを、図３において、補正テーブル１４Ｒから演算部１５Ｒまでの間とした。
【００８５】
＜３−１：色ムラ補正回路の構成＞
そこで、このような第３実施形態における色ムラ補正回路３０２について詳述することにする。図１４は、本実施形態における色ムラ補正回路の要部構成を示すブロック図であり、図３にあって、補正テーブル１４Ｒから演算部１５Ｒまでの間において追加される構成を示したものである。
この図において、Ｗ−ＬＵＴ（ルックアップテーブル）３２２および係数補間部３２４は、画像データＤＲ’のレベル（階調）値が、電圧レベルＶ１（白基準レベル）未満である場合に、当該レベルに対応する係数ｋｗを出力するものである。
【００８６】
詳細には、Ｗ−ＬＵＴ３２２は、例えば図１５に示されるように、白基準レベルＶ１からレベルが小さくなるにつれて、徐々に「１」から大きくなる特性曲線上にあって、電圧レベルＶ０、Ｖｗ１、Ｖｗ２、Ｖ１の４点に対応した係数データｋｗm ax、ｋｗ１、ｋｗ２、ｋｗminをそれぞれ記憶する一方、最小電圧レベルＶ０以上電圧レベルＶ１（白基準レベル）未満である画像データＤＲ’を入力すると、そのレベルの前後に位置する２点の係数データを出力するものである。例えば、Ｗ−ＬＵＴ３２２は、電圧レベルＶｗ１以上電圧レベルＶｗ２以下である場合には、電圧レベルＶｗ１に対応する係数データｋｗ１と、電圧レベルＶｗ２に対応する係数データｋｗ２との２点の係数データを出力する。さらに、係数補間部３２４は、Ｗ−ＬＵＴ３２２から出力された２点の係数データを補間処理して、電圧レベルＶ１未満である画像データＤＲ’のレベルに対応する係数データｋｗを、乗算器３３１〜３３４における入力端の一方に供給するものである。
【００８７】
同様に、Ｂ−ＬＵＴ３４２および係数補間部３４４は、画像データＤＲ’のレベル（階調）値が、電圧レベルＶ３（黒基準レベル）を越える場合に、当該レベルに対応する係数ｋｂを出力するものである。詳細には、Ｂ−ＬＵＴ３４２は、例えば図１６に示されるように、黒基準レベルＶ３からレベルが大きくなるにつれて、徐々に「１」から大きくなる特性曲線上にあって、電圧レベルＶ３、Ｖｂ１、Ｖｂ２、Ｖ４の４点に対応した係数データｋｂmin、ｋｂ１、ｋｂ２、ｋｂmaxをそれぞれ記憶する一方、電圧レベルＶ３（黒基準レベル）を越え、最大電圧レベルＶ４以下である画像データＤＲ’を入力すると、そのレベルの前後に位置する２点の係数データを出力するものである。例えば、Ｂ−ＬＵＴ３４２は、電圧レベルＶｂ２以上電圧レベルＶ４以下である場合には、電圧レベルＶｂ２に対応する係数データｋｂ２と、電圧レベルＶ４に対応する係数データｋｂmaxとの２点の係数データを出力する。さらに、係数補間部３４４は、Ｂ−ＬＵＴ３４２から出力された２点の係数データを補間処理して、電圧レベルＶ３を越える画像データＤＲ’のレベルに対応する係数データｋｂを、乗算器３５１〜３５４における入力端の一方に供給するものである。なお、本実施形態において、Ｗ−ＬＵＴ３２２の係数特性およびＢ−ＬＵＴ３２４の係数特性については、図５に示される表示特性を考慮して設定されたものである。
【００８８】
さて、本実施形態において、補正テーブル１４Ｒから読み出される４点の補正データのうち、補正データＤＨｒ１は、次の３つの経路に分岐して出力される。すなわち、補正データＤＨｒ１は、第１番目の経路として、乗算器３３１における入力端の他方に供給され、第２番目の経路として、セレクタ３７０の入力端ｂに供給され、第３番目の経路として、乗算器３５１における入力端の他方に供給されている。他の３点の補正データＤＨｒ２、ＤＨｒ３、ＤＨｒ４についても同様に、第１番目の経路として、それぞれ乗算器３３２、３３３、３３４における入力端の他方に供給され、第２番目の経路として、それぞれセレクタ３７０の入力端ｂに供給され、第３番目の経路として、それぞれ乗算器３５２、３５３、３５４における入力端の他方に供給されている。なお、乗算器３３１〜３３４における乗算結果は、それぞれセレクタ３７０の入力端ａに供給され、また、乗算器３５１〜３５４における乗算結果は、それぞれセレクタ３７０の入力端ｃに供給されている。
【００８９】
続いて、４つのセレクタ３７０は、制御信号ｓｅｌにしたがって、入力端ａ、ｂ、ｃのいずれかを選択出力するものである。また、データ判別部３６０は、入力画像データＤＲ’のレベル（階調）値を判別して、４つのセレクタ３７０に対して次のような制御信号ｓｅｌを出力するものである。すなわち、データ判別部３６０は、画像データＤＲ’が、電圧レベルＶ１未満である場合には入力端ａを選択させ、電圧レベルＶ１以上であって電圧レベルＶ３以下である場合には入力端ｂを選択させ、電圧レベルＶ３を越える場合には入力端ｃを選択させる制御信号ｓｅｌを出力するものである。なお、演算部１５Ｒは、４つのセレクタ３７０によって選択出力された補正データに基づいて、Ｘ座標データＤｘおよびＹ座標データＤｙによって特定される座標（当該画像データＤＲ’に対応する座標）に相当するであろう補正データＤｈを補間処理により求める点で第１および第２実施形態と共通である。
【００９０】
なお、ここでは、Ｒの画像データＤＲ’に対応する補正データＤｈを算出するための構成について説明したが、Ｇの画像データＤＧ’およびＢの画像データＤＢ’についても同様な構成となっている。
【００９１】
＜３−２：色ムラ補正回路の動作＞
次に、第３実施形態における色ムラ補正回路３０２の動作を具体的に説明するが、座標方向の補間処理の元になる４つの補正データＤＨｒ１〜ＤＨｒ４が、Ｘ座標データＤｘおよびＹ座標データＤｙと、画像データＤＲ’のデータ値とに基づいて、補正テーブル１４Ｒから読み出される（図９におけるステップＳ５）点までの動作は、第１実施形態と同様である。また、演算部１５Ｒが、４点の補正データに基づいて、Ｘ座標データＤｘおよびＹ座標データＤｙによって特定される座標に相当するであろう補正データＤｈを補間処理する点およびそれ以降の動作についても第１実施形態と同様である。
したがって、ここでは、補正テーブル１４Ｒから読み出された４つの補正データＤＨｒ１〜ＤＨｒ４が演算処理されて、演算部１５Ｒに供給されるまでの動作を中心に、以下のように場合分けして説明することにする。
【００９２】
＜３−２−１：画像データのレベルがＶ１未満である場合＞
まず、入力した画像データＤＲ’のレベルが、白基準レベルに対応する電圧レベルＶ１未満である場合の動作について説明する。この場合、Ｗ−ＬＵＴ３２２は、当該画像データＤＲ’のレベルの前後に位置する２点の係数データを出力し、係数補間部３２４は、該２点の係数データを補間処理して、当該画像データＤＲ’のレベルに対応する係数データｋｗを出力する。
【００９３】
一方、入力した画像データＤＲ’のレベルが電圧レベルＶ１未満である場合、補正テーブル１４Ｒから出力される４つの補正データＤＨｒ１〜ＤＨｒ４は、すでに述べたように、Ｘ座標データＤｘおよびＹ座標データＤｙで特定される座標の周囲近傍に位置する４点の基準座標に対応するものであって、それら基準座標においてそれぞれ白基準レベルに対応するものである。
【００９４】
したがって、乗算器３３１〜３３４による各乗算結果は、当該入力画像データＤＲ’のレベルと白基準レベルたる電圧レベルＶ１との差に応じて、４点の基準座標の各々においてそれぞれ電圧レベルＶ１に対応する補正データを適切に拡大したものとなる。そして、４つのセレクタ３７０にあっては、それぞれ入力端ａが、データ判別部３６０によって選択されるので、演算部１５Ｒは、乗算器３３１〜３３４による乗算結果の４つに対して座標方向に補間演算を施すことによって、当該画像データＤＲ’の補正データＤｈを求めることになる。
なお、ここでは、Ｒの画像データＤＲ’に対応する補正データＤｈの算出動作について説明したが、Ｇの画像データＤＧ’およびＢの画像データＤＢ’についての補正データＤｈの算出動作も同様である。
【００９５】
＜３−２−２：画像データのレベルがＶ１以上Ｖ３以下である場合＞
次に、入力した画像データＤＲ’のレベルが、白基準レベルに対応する電圧レベルＶ１以上であって、黒基準レベルに対応する電圧レベルＶ３以下である場合の動作について説明する。
【００９６】
この場合、補正テーブル１４Ｒから出力される４つの補正データＤＨｒ１〜ＤＨｒ４は、すでに述べたように、Ｘ座標データＤｘおよびＹ座標データＤｙで特定される座標の周囲近傍に位置する４点の基準座標に対応するものであって、それら基準座標において当該画像データのレベルに対応するものである。一方、４つのセレクタ３７０にあっては、それぞれ入力端ｂが、データ判別部３６０によって選択されるので、演算部１５Ｒは、補正テーブル１４から読み出された４つの補正データＤＨｒ１〜ＤＨｒ４を座標方向に補間演算を施すことによって、当該画像データＤＲ’の補正データＤｈを求めることになる。
すなわち、この算出動作は、上述した第１実施形態と全く同じであるので、入力した画像データＤＲ’のレベルが、白基準レベルに対応する電圧レベルＶ１以上であって、黒基準レベルに対応する電圧レベルＶ３以下である場合の動作は、第１実施形態と同様に色ムラが解消されることになる。
【００９７】
＜３−２−３：画像データのレベルがＶ３を越える場合＞
続いて、入力した画像データＤＲ’のレベルが、黒基準レベルに対応する電圧レベルＶ３を越える場合の動作について説明する。この場合、Ｂ−ＬＵＴ３４２は、当該画像データＤＲ’のレベルの前後に位置する２点の係数データを出力し、係数補間部３４４は、該２点の係数データを補間処理して、当該画像データＤＲ’のレベルに対応する係数データｋｂを出力する。
【００９８】
一方、入力した画像データＤＲ’のレベルが電圧レベルＶ３を越える場合、補正テーブル１４Ｒから出力される４つの補正データＤＨｒ１〜ＤＨｒ４は、すでに述べたように、Ｘ座標データＤｘおよびＹ座標データＤｙで特定される座標の周囲近傍に位置する４点の基準座標に対応するものであって、それら基準座標においてそれぞれ黒基準レベルに対応するものである。
【００９９】
したがって、乗算器３３１〜３３４による各乗算結果は、当該入力画像データＤＲ’のレベルと黒基準レベルたる電圧レベルＶ３との差に応じて、４点の基準座標の各々においてそれぞれ電圧レベルＶ３に対応する補正データを適切に拡大したものとなる。そして、４つのセレクタ３７０にあっては、それぞれ入力端ｃが、データ判別部３６０によって選択されるので、演算部１５Ｒは、乗算器３５１〜３５４による乗算結果の４つに対して座標方向に補間演算を施すことによって、当該画像データＤＲ’の補正データＤｈを求めることになる。
なお、ここでは、Ｒの画像データＤＲ’に対応する補正データＤｈの算出動作について説明したが、Ｇの画像データＤＧ’およびＢの画像データＤＢ’についての補正データＤｈの算出動作も同様である。
【０１００】
このように第３実施形態によれば、入力画像データＤＲ’のレベルが電圧Ｖ１未満である場合には、白基準レベルに対応する補正データに、また、入力画像データＤＲ’のレベルが電圧Ｖ３を越える場合には、黒基準レベルに対応する補正データに、それぞれ入力画像データのレベルに対応する係数を乗じることによって、当該レベルに対応する補正データを求めて、さらに、座標方向に補間演算を行うことにより補正データＤｈを求めているので、電圧レベルＶ１未満の領域および電圧Ｖ３を越える領域に対応する輝度レベルにおいても適切に色ムラの解消を図ることが可能となる。
なお、第３実施形態にあっては、第１実施形態における色ムラ補正回路３０２（図３参照）に適用した場合について説明したが、第２実施形態における色ムラ補正回路３０２’（図１０参照）にも、もちろん適用可能である。
【０１０１】
また、第３実施形態にあっては、電圧レベルＶ１未満の領域に対応してＷ−ＬＵＴ３２２を、電圧レベルＶ３を越える領域に対応してＢ−ＬＵＴ３４２を、それぞれ用意したが、いすれも、白基準レベルＶ１または黒基準レベルＶ３から電圧レベルが離れるにつれて、係数ｋｗまたはｋｂが「１」よりも次第に大きくなる点で共通であるので、ルックアップテーブルを共用化することも可能である。さらに、電圧レベルＶ１未満の領域、または、電圧レベルＶ３を越える領域のうち、いずれか一方の領域のみについてルックアップテーブルを用いて補正データの算出を行うようにしても良い。
【０１０２】
さらに、第３実施形態にあっては、Ｗ−ＬＵＴ３２２およびＢ−ＬＵＴ３２４において、それぞれ電圧レベルの異なる４点において係数データを記憶する構成としたが、精度を向上させる目的で５点以上記憶する構成としても良いし、記憶容量を削減する目的で３点または２点記憶する構成としても良い。
【０１０３】
＜４：電子機器＞
次に、上述した画像処理回路をプロジェクタ以外の電子機器に用いた例について説明する。
【０１０４】
＜４−１：モバイル型コンピュータ＞
まず、上述した画像処理回路を、モバイル型のコンピュータの表示部に適用した例について説明する。図１７は、このコンピュータの構成を示す斜視図である。図において、コンピュータ１７００は、キーボード１７０２を備えた本体部１７０４と、液晶パネル１００とから構成されている。また、液晶パネル１００の背面には、視認性を高めるためのバックライトユニット（図示省略）が設けられる。
【０１０５】
ここで、上述したプロジェクタ１１００は、ＲＧＢの各色にそれぞれ対応する液晶表示パネル１００Ｒ、１００Ｇ、１００Ｂの３板構成であったが、この液晶パネル１００は、カラーフィルタにより１枚でＲＧＢの各色を表示するものである。したがって、このような液晶パネル１００に対しては、画像信号ＶＩＤｒ１〜ＶＩＤｒ６、ＶＩＤｇ１〜ＶＩＤｇ６、ＶＩＤｂ１〜ＶＩＤｂ６は、並列的に供給されるのではなく、時分割で供給されることになる。この場合でも、上述した色ムラ補正回路３０２と同様にレベル（階調）方向の補間処理と座標方向との補間処理とを２段階で行うことによって、輝度ムラや色ムラをほとんどなくすことができる。
【０１０６】
＜４−２：携帯電話＞
次に、上述した画像処理回路を、携帯電話の表示部に適用した例について説明する。図１８は、この携帯電話の構成を示す斜視図である。図において、携帯電話１８００は、複数の操作ボタン１８０２のほか、受話口１８０４、送話口１８０６とともに、表示部として用いられる液晶パネル１００を備えるものである。この液晶パネル１００も、カラーフィルタにより１枚でＲＧＢ各色を表示するものであるが、単に白黒の階調表示を行うものとしても良い。白黒の階調表示を行う場合には、画像処理回路は、３原色分ではなく、単色分の構成で済む。
【０１０７】
＜５：その他＞
なお、図１７、図１８を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、POS端末、タッチパネルを備えた装置等などが挙げられる。そして、これらの各種電子機器に適用可能なのは言うまでもない。
【０１０８】
さらに、本発明は、アクティブマトリクス型液晶表示装置としてＴＦＴを用いたもの例にとって説明したが、これに限られず、スイッチング素子としてＴＦＤ（Thin Film Diode：薄膜ダイオード）を用いたものや、スイッチング素子を用いないパッシブ型などにも適用可能である。さらに、透過型に限られず、反射型にも適用可能である。くわえて、液晶表示装置に限られず、エレクトロ・ルミネッセンス素子など、各種の電気光学物質の電気光学変化を用いて表示を行う表示装置にも適用可能である。
【０１０９】
【発明の効果】
以上説明したように本発明によれば、レベル方向と座標方向の補間処理を２段階で行うので、少ないメモリ容量により、輝度ムラや色ムラを大幅に低減することが可能となる。
【図面の簡単な説明】
【図１】  本発明の第１実施形態に係るプロジェクタの電気的構成を示すブロック図である。
【図２】  同プロジェクタの構成を示す平面図である。
【図３】  同プロジェクタにおける色ムラ補正回路の構成を示すブロック図である。
【図４】  同実施形態における基準座標を説明するための図である。
【図５】  同液晶表示パネルの表示特性と基準補正データに対応する３つの電圧レベルの関係を示す図である。
【図６】  同プロジェクタにあって色ムラ補正回路のＲＯＭの記憶内容を示す図である。
【図７】  同色ムラ補正回路に用いる基準補正データを生成するシステムの構成を示す図である。
【図８】  同色ムラ補正回路における補正テーブルの記憶内容を示す図である。
【図９】  同色ムラ補正回路の動作を示すフローチャートである。
【図１０】  本発明の第２実施形態における色ムラ補正回路の構成を示すブロック図である。
【図１１】  同実施形態における基準座標を説明するための図である。
【図１２】  同色ムラ補正回路におけるＲＯＭの記憶内容を示す図である。
【図１３】  同色ムラ補正回路においてＲに対応する補正テーブルの記憶内容を示す図である。
【図１４】  本発明の第３実施形態に係る色ムラ補正回路の要部構成を示すブロック図である。
【図１５】  同構成におけるＷ−ＬＵＴの記憶内容を説明するための図である。
【図１６】  同構成におけるＢ−ＬＵＴの記憶内容を説明するための図である。
【図１７】  同画像処理回路を適用した電子機器の一例たるパーソナルコンピュータの構成を示す斜視図である。
【図１８】  同画像処理回路を適用した電子機器の一例たる携帯電話機の構成を示す斜視図である。
【符号の説明】
１０……Ｘカウンタ
１１……Ｙカウンタ
１２……ＲＯＭ（第１記憶手段、メモリ）
１３……補間処理部（第１補間手段）
１４Ｒ……補正テーブル（第２記憶手段）
１５Ｒ……演算部（第２補間手段）
１６Ｒ……加算部
１７Ｒ……アドレス発生部
１０３……表示領域（画像表示領域）
３００……画像処理回路
３０２……色ムラ補正回路
３２２……Ｗ−ＬＵＴ（ルックアップテーブル）
３４２……Ｂ−ＬＵＴ（ルックアップテーブル）
３２４、３４４……係数補間部
３３１〜３３４、３５１〜３５４……乗算器
ＤＲ、ＤＧ、ＤＢ……入力画像データ
Ｄref……基準補正データ
ＤＨ（ＤＨｒ、ＤＨｇ、ＤＨｂ）……補正データ（第１補正データ）
Ｄｈ……補正データ（第２補正データ）
ＤＣＬＫ……ドットクロック信号（第１クロック信号）
ＨＣＬＫ……水平クロック信号（第２クロック信号）
Ｄｘ、Ｄｙ……Ｘ座標データ、Ｙ座標データ
【図１】
0003661584.tif 000002
【図２】
0003661584.tif 000003
【図３】
0003661584.tif 000004
【図４】
0003661584.tif 000005
【図５】
0003661584.tif 000006
【図６】
0003661584.tif 000007
【図７】
0003661584.tif 000008
【図８】
0003661584.tif 000009
【図９】
0003661584.tif 000010
【図１０】
0003661584.tif 000011
【図１１】
0003661584.tif 000012
【図１２】
0003661584.tif 000013
【図１３】
0003661584.tif 000014
【図１４】
0003661584.tif 000015
【図１５】
0003661584.tif 000016
【図１６】
0003661584.tif 000017
【図１７】
0003661584.tif 000018
【図１８】
0003661584.tif 000019